(57)【要約】【課題】回転体を視認できない構成で使用者に圧迫感を感じさせることなく、回転体に触れることができないため安全であり、かつ床方向へ気流を送ることができ天井扇から直接涼風を得ることができる天井扇を提供することを目的とする。【解決手段】箱体１に空気を取り入れる吸込み口２と、高圧空気を発生するための羽根車３とこれを駆動するためのモータ４で構成された高圧空気発生手段とが設けられた高圧空気発生部５と、高圧空気を気流として吹出す吹出し口６を有する気流吹出し部７と、高圧空気発生部５と気流吹出し部７を連通する連結ダクト８とを備え、気流吹出し部７が環形状であり、高圧空気発生部５を天井に取り付けられる構成で、気流吹出し部７から吹き出される気流の方向を環形状の中心側と外周側に切り替える切替ダンパ９を備えた天井扇。【選択図】図１
2011252476.tif 000002
【特許請求の範囲】
【請求項１】
箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、前記高圧空気発生部と前記気流吹出し部を連通する連結ダクトとを備え、前記気流吹出し部が環形状であり、前記高圧空気発生部を天井に取り付けられる構成である天井扇であって、
前記気流吹出し部から吹き出される気流の方向を環形状の中心側と外周側に切り替える気流制御手段を前記気流吹出し部に備えた天井扇。
【請求項２】
気流制御手段は、
気流吹出し部の内部の空洞を中心側空洞と外周側空洞に分割して、高圧空気発生部から発生した高圧空気を前記中心側空洞と前記外周側空洞に選択して分岐するダンパ切替手段である請求項１に記載の天井扇。
【請求項３】
箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、前記高圧空気発生部と前記気流吹出し部を連通する連結ダクトとを備え、前記気流吹出し部が環形状であり、前記高圧空気発生部を天井に取り付けられる構成である天井扇であって、
前記気流吹出し部から吹き出される気流の方向を環形状の床面側と天井側に切り替える気流制御手段を前記気流吹出し部に備えた天井扇。
【請求項４】
気流制御手段は、
気流吹出し部の内部の空洞を床面側空洞と天井側空洞に分割して、高圧空気発生部から発生した高圧空気を前記床面側空洞と前記天井側空洞に選択して分岐するダンパ切替手段である請求項３に記載の天井扇。
【請求項５】
気流制御手段は、
吹出し口の近傍に備えたフラップ可変手段である請求項１または３に記載の天井扇。
【発明の詳細な説明】
【技術分野】
【０００１】
本発明は、天井に設置され、直接風による体感温度の減少や室内の空気の循環に使用される天井扇に関するものである。
【背景技術】
【０００２】
従来、この種の天井扇は、長板状の羽根板の一端を支持する接続部材を介して、電動機により回転する回転体に固定するものが知られている（例えば、特許文献１参照）。
【０００３】
以下、その天井扇について図９を参照しながら説明する。
【０００４】
図９に示すように、天井扇１０１の全体構成はキャノピー（  上カバー）１０２と中カバー１０３と電動機の外側回転体１０４と下カバー１０５と、外側回転体１０４のホルダー１０６に動翼１０７が取り付けられているものからなり、キャノピー１０２の内部の簡易取り付け金具１０８が天井１０９にネジ止めされて天井扇１０１は吊り下げられている。
【０００５】
上記構成において、動翼１０７は回転軸を中心とする径方向に所定の角度を持って取り付けられており、電動機により動翼１０７が回転すると、動翼１０７の昇圧作用により、正方向の回転では動翼１０７の外周から天井１０９と動翼１０７の間を通った空気が下方に送風される。また、動翼１０７を逆回転させると空気は天井に向かって送風される。
【先行技術文献】
【特許文献】
【０００６】
【特許文献１】特開平１１−２１０６７８号公報
【発明の概要】
【発明が解決しようとする課題】
【０００７】
特許文献の天井扇では動翼が回転するのが視認できるため、天井扇を運転する際に使用者に圧迫感を与えてしまうという課題があったため、天井が低い場所には設置しにくいという課題があった。
【０００８】
そこで本発明は、上記従来の課題を解決するものであり、遠心羽根車など回転体を視認できない構成で使用者に圧迫感を感じさせることなく、床方向および天井方向へ気流を送ることができ、天井扇から直接涼風を得ることができる天井扇を提供することを目的とする。
【課題を解決するための手段】
【０００９】
そして、この目的を達成するために、本発明は、箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、前記高圧空気発生部と前記気流吹出し部を連通する連結ダクトとを備え、前記気流吹出し部が環形状であり、前記高圧空気発生部を天井に取り付けられる構成である天井扇であって、前記気流吹出し部から吹き出される気流の方向を環形状の中心側と外周側に切り替える気流制御手段を前記気流吹出し部に備えた天井扇としたものであり、これにより所期の目的を達成するものである。
【発明の効果】
【００１０】
本発明によれば、回転体を視認できない構成で使用者に圧迫感を感じさせることなく、回転体に触れることができないため安全であり、かつ床方向および天井方向へ気流を送ることができ、天井扇から直接涼風を得ることができる。
【図面の簡単な説明】
【００１１】
【図１】本発明の実施の形態１の天井扇の天井から見た斜視図
【図２】同天井扇の床面から見た斜視図
【図３】同天井扇と照明手段を示す斜視図
【図４】同天井扇と照明手段の接続を示す斜視図
【図５】同断面図
【図６】同天井扇の気流吹き出し部を示す斜視断面図
【図７】本発明の実施の形態２の天井扇の気流吹き出し部を示す斜視断面図
【図８】本発明の実施の形態３の天井扇の気流吹き出し部を示す斜視断面図
【図９】従来技術の一例を示す概略図
【発明を実施するための形態】
【００１２】
本発明の請求項１記載の天井扇は、箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、前記高圧空気発生部と前記気流吹出し部を連通する連結ダクトとを備え、前記気流吹出し部が環形状であり、前記高圧空気発生部を天井に取り付けられる構成である天井扇において、前記気流吹出し部から吹き出される気流の方向を環形状の中心側と外周側に切り替える気流制御手段を前記気流吹出し部に備えた天井扇である。
【００１３】
これにより、回転体を視認できない構成であるため、使用者に圧迫感を感じさせることがない。また、気流の方向を任意に設定できるため、床方向でかつ環形状の中心部へ気流を送ることで天井扇から使用者へ直接風速の早い涼風を得ることができる。また、風速の早い涼風はいらない場合には、外周側へ気流を送ることができる。
【００１４】
また、気流制御手段は、気流吹出し部の内部の空洞を中心側空洞と外周側空洞に分割して、高圧空気発生部から発生した高圧空気を前記中心側空洞と前記外周側空洞に選択して分岐するダンパ切替手段であるものであり、また、気流の方向を任意に設定できるため、床方向でかつ環形状の中心部へ気流を送ることで天井扇から使用者へ直接風速の早い涼風を得ることができる。また、風速の早い涼風はいらない場合には、外周側へ気流を送ることができる。
【００１５】
また、気流制御手段は、吹出し口の近傍備えたフラップ可変手段であるものでありまた、気流の方向を任意に設定できるため、床方向でかつ環形状の中心部へ気流を送ることで天井扇から使用者へ直接風速の早い涼風を得ることができる。また、風速の早い涼風はいらない場合には、外周側へ気流を送ることができる。
【００１６】
また、箱体に空気を取り入れる吸込み口と、高圧空気を発生するための羽根車と羽根車を駆動するためのモータで構成された高圧空気発生手段とが設けられた高圧空気発生部と、高圧空気を気流として吹出す吹出し口を有する気流吹出し部と、前記高圧空気発生部と前記気流吹出し部を連通する連結ダクトとを備え、前記気流吹出し部が環形状であり、前記高圧空気発生部を天井に取り付けられる構成である天井扇において、前記気流吹出し部から吹き出される気流の方向を環形状の床面側と天井側に切り替える気流制御手段を前記気流吹出し部に備えたものであり、これにより、回転体を視認できない構成であるため、使用者に圧迫感を感じさせることがない。また、気流の方向を任意に設定できるため、床方向へ気流を送ることで天井扇から直接涼風を得ることができ、冬季の直接の涼風はいらない場合には、天井方向へ気流を送ることで、室内の空気を循環させて、部屋の中の空気を均一化することができる。
【００１７】
また、気流制御手段は、気流吹出し部の内部の空洞を床面側空洞と天井側空洞に分割して、高圧空気発生部から発生した高圧空気を前記床面側空洞と前記天井側空洞に選択して分岐するダンパ切替手段であるものであ気流の方向を任意に設定できるため、床方向へ気流を送ることで天井扇から直接涼風を得ることができ、冬季の直接の涼風はいらない場合には、天井方向へ気流を送ることで、室内の空気を循環させて、部屋の中の空気を均一化することができる。
【００１８】
また、気流制御手段は、吹出し口の近傍備えたフラップ可変手段であるものであり、床方向へ気流を送ることで天井扇から直接涼風を得ることができ、冬季の直接の涼風はいらない場合には、天井方向へ気流を送ることで、室内の空気を循環させて、部屋の中の空気を均一化することができる。
【００１９】
また、天井と高圧空気発生部と気流吹出し部と連結ダクトに落下防止手段が設けられていることを特徴とするものであり、落下により天井扇が破損することを防止することができる。
【００２０】
以下、本発明の実施の形態について図面を参照しながら説明する。
【００２１】
（実施の形態１）
図１に本発明の実施の形態１の天井扇の断面図、図２に同天井扇の天井から見た斜視図、図３に同天井扇の床面から見た斜視図、図４に同天井扇と照明を示す斜視図、図５に同天井扇と照明の接続を示す斜視図、図６に同天井扇の気流吹き出し部を示す断面図を示す。
【００２２】
まず、実施の形態１の構成について説明する。
【００２３】
本発明の実施の形態１の天井扇は、図１から図６に示すように、箱体１に空気を取り入れる吸込み口２と、高圧空気を発生するための羽根車３と羽根車３を駆動するためのモータ４で構成された高圧空気発生手段とが設けられた高圧空気発生部５と、高圧空気を気流として吹出す吹出し口６を有する気流吹出し部７と、高圧空気発生部５と気流吹出し部７を連通する連結ダクト８とを備え、気流吹出し部７が環形状であり、高圧空気発生部５を天井に取り付けられる構成である。
【００２４】
また、気流吹出し部７から吹き出される気流の方向を環形状の中心側と外周側に切り替える気流制御手段の１例として図１に示すように切替ダンパ９を備えており、図６に示すように、連結ダクト８および環形状になっている気流吹出し部７が上下に分割されており、切替ダンパ９の切替を行うと、中心側に吹出す上側の中心側空洞２１と外周側に吹出す下側の外周側空洞２２のそれぞれに高圧空気を流すものである。
【００２５】
ここで高圧空気発生部５は、重量が比較的重いため、環形状の気流吹出し部７の略中央に配置された構成とすることで、全体の重心に位置して安定するとともに天井扇をコンパクトにすることができる。
【００２６】
また、図２に示すように、高圧空気発生部５に受電手段１０が設けられ、天井に既設された照明器具用の給電手段（図示せず）から電力を得ることができる。また、図３に示すように、高圧空気発生部５の下面には給電手段１１が設けられ、高圧空気発生部５に照明手段１２を取り付けることができる。
【００２７】
これにより、天井扇を特別な工具や技術なく簡易に天井に設置できるとともに、今まで照明手段１２が設置されている場所に、照明手段１２の機能を保持した状態で天井扇を設置することができるものである。
【００２８】
次に、実施の形態１の動作を示す。
【００２９】
モータ４が駆動して羽根車３を回転させることで、高圧空気発生部５によって吸込み口２から吸い込まれた空気が昇圧されて、吹出し口６から高圧空気を高速噴流に変換して空間に放出される。吹出し口６から噴出される高速噴流が気流吹出し部７の壁面に沿って空気が流れると付着噴流の誘引効果により周辺の空気が空気の粘性によって巻き込まれて多くの風量が天井から離れた箇所で流れるものである。
【００３０】
ここで、気流吹出し部７が、天井から離れていることで、気流吹出し部７が、周辺から空気を誘引するため、環の外側だけでなく、天井と気流吹出し部７の間から環形状の気流吹出し部７の環の中を通る風路で、環の内側でも吹出し口から吹出される気流に誘引される気流が起こるため、効率よく気流を送ることができる。
【００３１】
また、図６に示すように、切替ダンパ９の切替により中心側に送風すると気流が吹出し口６ａから中心側斜め下方向に吹き出し、外周側に切替えて送風すると吹出し口６ｂから環形状の外側斜め上方向に吹き出すことができる。すなわち、使用者が天井扇の真下に居て直接風速の速い涼風を得たいときには、中心側斜め下方向に吹き出すスポット送風、使用者が天井扇の真下から離れた位置に居る場合や、天井扇の真下に居て風速の速い涼風はいらない場合には、外側斜め上方向に吹き出すワイド送風を切替えることができる。
【００３２】
（実施の形態２）
実施の形態２において、実施の形態１と同様の構成要素については同一の符号を付し、その詳細な説明は省略する。
【００３３】
図７に本発明の実施の形態２の天井扇の気流吹き出し部を示す斜視断面図を示す。
【００３４】
実施の形態２の構成について説明する。
【００３５】
気流吹出し部７から吹き出される気流の方向を環形状の床面側と天井側に切り替える気流制御手段の１例である切替ダンパ９を備えており、切替ダンパ９の切替を行うと、連結ダクト８および環形状になっている気流吹出し部７が上下に分割されており、床面側に吹出す床面側空洞２３と天井側に吹出す天井側空洞２４のそれぞれに高圧空気を流すものである。
【００３６】
次に、実施の形態２の動作を示す。
【００３７】
切替ダンパ９の切替により床面側に送風すると気流が吹出し口６ａから床面方向に吹き出し、天井側に切替えて送風すると吹出し口６ｂから天井方向に吹き出す。
【００３８】
これにより夏期には下向きで直接の気流で涼が得られ、冬期には上向きでサーキュレーション効果が得られる。
【００３９】
（実施の形態３）
実施の形態３において、実施の形態１および実施の形態２と同様の構成要素については同一の符号を付し、その詳細な説明は省略する。
【００４０】
図８に本発明の実施の形態３の天井扇の気流吹き出し部を示す斜視断面図を示す。
【００４１】
実施の形態３の構成について説明する。
【００４２】
吹出し口６ａの近傍に気流制御手段の１例であるフラップ可変手段２５を備えたものである。
【００４３】
次に、実施の形態３の動作を示す。
【００４４】
フラップ可変手段２５の動作により、吹出し口６ａから吹出す高速噴流がフラップ可変手段２５に付着して、気流の方向を変化させ、誘引する空気の方向も変更することができる。
【００４５】
これにより、床方向へ気流を送ることで天井扇から直接涼風を得ることができ、冬季の直接の涼風はいらない場合には、天井方向へ気流を送ることで、室内の空気を循環させて、部屋の中の空気を均一化することができる。
【産業上の利用可能性】
【００４６】
本発明にかかる天井扇は、使用者に回転体が視認できないため、使用者に圧迫感を与えることなく室内空気の撹拌、使用者への涼風の提供ができるため、住宅用の室内空気の撹拌を目的に使用される各種送風機器等として有用である。
【符号の説明】
【００４７】
１      箱体
２      吸込み口
３      羽根車
４      モータ
５      高圧空気発生部
６      吹出し口
６ａ    吹出し口
６ｂ    吹出し口
７      気流吹出し部
８      連結ダクト
９      切替ダンパ
１０    受電手段
１１    給電手段
１２    照明手段
２１    中心側空洞
２２    外周側空洞
２３    床面側空洞
２４    天井側空洞
２５    フラップ可変手段
１０１  天井扇
１０２  キャノピー
１０３  中カバー
１０４  外側回転体
１０５  下カバー
１０６  ホルダー
１０７  動翼
１０８  簡易取り付け金具
１０９  天井
【図１】
2011252476.tif 000003
【図２】
2011252476.tif 000004
【図３】
2011252476.tif 000005
【図４】
2011252476.tif 000006
【図５】
2011252476.tif 000007
【図６】
2011252476.tif 000008
【図７】
2011252476.tif 000009
【図８】
2011252476.tif 000010
【図９】
2011252476.tif 000011